(57)【要約】  【課題】  ひとつの操作で全てのフック部材に吊り下げられた商品を一度に前出しできる商品陳列装置を提供すること。  【解決手段】左側ブラケット１と、左側ブラケット１と所定間隔おいて対向する右側ブラケット１と、左側ブラケット１に上下方向に回動自在に軸支される左側腕部２と、右側ブラケット１に上下方向に回動自在に軸支される右側腕部２と、両側腕部２に軸支位置６より後方側で差し渡し状に配設される後方バー部材３と、後方バー部材３に左右方向に所定のピッチで付設される２つ以上の商品吊り下げ用フック部材４とを有する商品陳列装置。【選択図】      図９
2007029155.tif 000002
【特許請求の範囲】
【請求項１】
左側固定部と、該左側固定部と所定間隔おいて対向する右側固定部と、
該両側固定部に差し渡し状に配置されると共に、回動自在に支持される横部材と、
該横部材に左右方向に所定のピッチで付設される２つ以上の商品吊り下げ用フック部材を有することを特徴とする商品陳列装置。
【請求項２】
該左側固定部に回動自在に支持される左側腕部又は該右側固定部に回動自在に支持される右側腕部のいずれか一方又は両方を更に設置し、
該横部材と該両側腕部のいずれか一方又は両方を一体化し、該横部材は該両側腕部のいずれか一方又は両方を介して該両側固定部間で回動自在としたことを特徴とする請求項１記載の商品陳列装置。
【請求項３】
該商品吊り下げ用フック部材は、前方向に延出する商品を吊り下げる棒状部材と、該棒状部材の先端から上方に屈曲する商品の転落を防止する係り止め部を有することを特徴とする請求項１又は２記載の商品陳列装置。
【請求項４】
該横部材は該両側腕部のいずれか一方又は両方に対して、該支持位置より後方側に設置されるものであり、且つ該両側腕部のいずれか一方又は両方の後方側が弾発部材により下方に付勢されていることを特徴とする請求項２又は３記載の商品陳列装置。
【請求項５】
該横部材は該両側腕部のいずれか一方又は両方に対して、該支持位置又は該支持位置より前方側に設置されるものであり、且つ該両側腕部のいずれか一方又は両方と該両側固定部のいずれか一方又は両方は互いに係合していることを特徴とする請求項２又は３記載の商品陳列装置。
【請求項６】
該横部材に、操作部を更に設けたことを特徴とする請求項１記載の商品陳列装置。
【請求項７】
該左側腕部又は該右側腕部に、操作部を更に設けたことを特徴とする請求項２〜４のいずれか１項に記載の商品陳列装置。
【請求項８】
該操作部が、該両側腕部の該支持位置より前方側で差し渡し状に配設されるバー部材であって、商品陳列姿勢の正面視において該バー部材は該横部材より上方側にあることを特徴とする請求項２〜４のいずれか１項に記載の商品陳列装置。
【請求項９】
前記バー部材の前面部は、凹状断面を有する商品情報表示部であることを特徴とする請求項８記載の商品陳列装置。
【請求項１０】
上下２段以上に配設され、少なくとも上下２段の操作部を連結する連結部材を更に有することを特徴とする請求項９に記載の商品陳列装置。
【請求項１１】
該左側腕部又は該右側腕部に、前後方向にスライドする操作部を更に設けたことを特徴とする請求項２〜５のいずれか１項に記載の商品陳列装置。
【請求項１２】
該左側腕部又は該右側腕部は長尺状ケース部材であり、該操作部は該長尺状ケース部材内にスライド自在に嵌合する長尺状部材であることを特徴とする請求項１１記載の商品陳列装置。
【請求項１３】
該横部材が、バー部材又は網目状部材であることを特徴とする請求項１〜１２のいずれか１項に記載の商品陳列装置。
【請求項１４】
前記商品吊り下げ用フック部材に吊り下げられた商品の最後尾に、錘を吊り下げることを特徴とする請求項１〜１３のいずれか１項記載の商品陳列装置。
【発明の詳細な説明】
【技術分野】
【０００１】
本発明は、スーパーやドラッグストアなどの商品陳列棚のフック部材に商品を多数個吊り下げ状態に陳列するとともに、全ての吊り下げ商品を一度に前方移動できる商品の前出しに好適な商品陳列装置に関するものである。
【背景技術】
【０００２】
スーパーやドラッグストアなどにおいて、歯ブラシなど細身の商品は、前方に延出し略水平状態の棒状部材（フック部材）に多数吊り下げ状態で陳列されている。特開平１０−２７２０４２号公報には、フック部材と、該フック部材にスライド移動可能に取り付けられ該フック部材に吊り下げられた商品を前方に押し付ける押し付け体と、該押し付け体をスライド移動させる操作バーと、該押し付け体を常時後方へ付勢する付勢弾性体とを備える商品陳列具が開示されている。
【０００３】
特開平１０−２７２０４２号公報に記載の商品陳列具によれば、商品の前出しは、押し付け体の取り付けた操作バーを手動により引き出すことにより行い、前出し後は、押し付け体が自動的に元に戻るため、商品の過度の押圧による変形等も生じることがなく、また客の通行の妨げとなることもなく安全である。
【特許文献１】特開平１０−２７２０４２号公報（請求項１）
【発明の開示】
【発明が解決しようとする課題】
【０００４】
しかしながら、特開平１０−２７２０４２号公報に記載の商品陳列具の商品の前出し作業は、売れ筋商品を陳列した陳列具とそうでない陳列具とでは異なるため、陳列具毎に手動により行う必要があり面倒である。また、この商品陳列具は、押し付け体を持たない従前のフック部材と比較するとコストアップは避けられない。
【０００５】
従って、本発明の目的は、ひとつの簡単な操作で全てのフック部材に吊り下げられた商品を一度に前出しできる商品陳列装置を提供することにある。
【課題を解決するための手段】
【０００６】
かかる実情において、本発明者は鋭意検討を行った結果、フック部材が付設された横長の横部材（バー部材）を可動枠体とし、全てのフック部材が前下がり傾斜となるように可動枠体を回動させれば、吊り下げられた商品すべてを一斉に前出しできることなどを見出し、本発明を完成するに至った。
【０００７】
すなわち、本発明は、左側固定部と、該左側固定部と所定間隔おいて対向する右側固定部と、該両側固定部に差し渡し状に配設されると共に、回動自在に指示される横部材と、該横部材に左右方向に所定のピッチで付設される２つ以上の商品吊り下げ用フック部材を有することを特徴とする商品陳列装置を提供するものである。
【０００８】
また、本発明は、該左側固定部に回動自在に支持される左側腕部又は該右側固定部に回動自在に支持される右側腕部のいずれか一方又は両方を更に設置し、該横部材と該両側腕部のいずれか一方又は両方を一体化し、該横部材は該両側腕部のいずれか一方又は両方を介して該両側固定部間で回動自在としたことを特徴とする前記商品陳列装置を提供するものである。また、本発明は、該商品吊り下げ用フック部材は、前方向に延出する商品を吊り下げる棒状部材と、該棒状部材の先端から上方に屈曲する商品の転落を防止する係り止め部を有することを特徴とする前記商品陳列装置を提供するものである。
【０００９】
また、本発明は、該横部材は該両側腕部のいずれか一方又は両方に対して、該支持位置より後方側に設置されるものであり、且つ該両側腕部のいずれか一方又は両方の後方側が弾発部材により下方に付勢されていることを特徴とする前記商品陳列装置を提供するものである。また、本発明は、該横部材は該両側腕部のいずれか一方又は両方に対して、該支持位置又は該支持位置より前方側に設置されるものであり、且つ該両側腕部のいずれか一方又は両方と該両側固定部のいずれか一方又は両方は互いに係合していることを特徴とする前記商品陳列装置を提供するものである。
【００１０】
また、本発明は、該横部材に、操作部を更に設けたことを特徴とする前記商品陳列装置を提供するものである。また、本発明は、該左側腕部又は該右側腕部に、操作部を更に設けたことを特徴とする前記商品陳列装置を提供するものである。また、本発明は、前記操作部が、該両側腕部の該軸支位置より前方側で差し渡し状に配設されるバー部材であって、商品陳列姿勢の正面視において該バー部材は該横部材より上方側にあることを特徴とする前記商品陳列装置を提供するものである。
【００１１】
また、本発明は、前記バー部材の前面部は、凹状断面を有する商品情報表示部であることを特徴とする前記商品陳列装置を提供するものである。また、本発明は、上下２段以上に配設され、少なくとも上下２段の操作部を連結する連結部材を更に有することを特徴とする前記商品陳列装置を提供するものである。また、本発明は、該左側腕部又は該右側腕部に、前後方向にスライドする操作部を更に設けたことを特徴とする前記商品陳列装置を提供するものである。また、本発明は、該左側腕部又は該右側腕部は長尺状ケース部材であり、該操作部は該長尺状ケース部材内にスライド自在に嵌合する長尺状部材であることを特徴とする前記商品陳列装置を提供するものである。また、本発明は、該横部材が、バー部材又は網目状部材であることを特徴とする前記商品陳列装置を提供するものである。また、本発明は、前記商品吊り下げ用フック部材に吊り下げられた商品の最後尾に、錘を吊り下げることを特徴とする前記商品陳列装置を提供するものである。
【発明の効果】
【００１２】
本発明の商品陳列装置によれば、両側固定部に差し渡し状に配設される横部材が回動自在又は両側腕部を介して回動自在に軸支されており、従って、横部材に取り付けられたフック部材が前下がり傾斜となるように手で両側腕部等を下方へ下げれば、吊り下げられた商品すべてを一斉に前出しできる。このため、個々の商品陳列具の前出し状態を気にすることなく、簡単に前出し作業が行える。また、左右方向又は上下方向に商品吊り下げ用の棒状部材が併設する２連のフック陳列具などにも適用できる。また、フック部材を支持する横部材は、弾発付勢などにより略水平状態（商品陳列姿勢）が維持されており、些細な外力では回動せず、安定な陳列状態を維持できる。また、操作部があるため操作し易い。特に両側腕部の前方側に付設された前方操作バー部材を用いる場合、操作位置が広がり一層操作し易いものとなると共に、商品情報表示機能を付与することもできる。また、操作部が両側腕部のいずれか一方又は双方において、両側腕部に対して前後方向にスライドする部材の場合、商品陳列状態において、両側固定部に収容状態にできるから、余分な突出をなくすることができる。また、フック部材が前下がり傾斜となることで錘が前方移動し、商品の前出しが一層円滑に行われる。
【発明を実施するための最良の形態】
【００１３】
次に、本発明の第１の実施の形態における商品陳列装置を図１〜図４を参照して説明する。図１は本例の商品陳列装置の使用状態を示す斜視図、図２は通常の商品陳列状態であって、前出し操作前の状態を示す図、図３は前出し操作中の状態を示す図、図４は前出し操作後の状態を示す図である。なお、本明細書中、「前」は顧客側を言い、「後」はその反対方向を言い、「左右」は顧客側から見た方向を言う。
【００１４】
第１の実施の形態における商品陳列装置１０は、支柱５のスリット５１に装着される左側固定部である左ブラケット１と、左ブラケット１と所定間隔おいて対向する右側固定部である右ブラケット１と、左ブラケット１の軸６を中心に回動自在に軸支される左側腕部２と、右ブラケット１に軸６を中心に回動自在に軸支される右側腕部２と、両側腕部２、２に軸６（軸支位置）より後方側で差し渡し状に配設される後方バー部材３と、後方バー部材３に左右方向に所定のピッチで付設される２つ以上の商品吊り下げ用フック部材４とを有する。なお、左側固定部及び右側固定部が固定されるものとしては、上記支柱のスリットに限定されず、壁などであってもよい。
【００１５】
商品陳列装置１０において、左ブラケット１は支柱５のスリット５１に係合する係合片１３と、左側腕部２を支持する本体部１４とからなる。本体部１４には軸６と、軸６の後方側にガイド穴８ａを有する。なお、左ブラケット１は左側腕部２を回動自在に支持するものであるため、軸６は左側腕部２側が軸であれば軸穴でよく、ガイド穴８ａは左側腕部２がガイド穴であれば、ガイド突起であってもよい。なお、右ブラケット１は左ブラケット１と左右対称位置にある同じものであり、その記載を省略する。
【００１６】
左側腕部２は長尺板状物であり、左ブラケット１の軸６と係合する軸穴と、該軸穴の後方側に左ブラケット１のガイド穴８ａに係合するガイド突起７ａを有する。ガイド穴８ａは回動する範囲を定めると共に、回動を安定したものとする。すなわち、陳列姿勢において、ガイド突起７ａが、ガイド穴８ａの上端縁で規制され、最大角度に回動した場合、ガイド突起７ａが、ガイド穴８ａの下端縁で規制される。左側腕部２における軸６の取り付け位置は、前後方向のほぼ中央である。前方側に近くなるほど、回動の際、力が必要となり、後方側に近くなるほど、回動範囲が狭くなり前出しが行い難くなる。左側腕部２は後端部で後方バー部材３に接合して両者は一体化している。
【００１７】
後方バー部材３は矩形断面の長尺状物である。後方バー部材３の両端は左側腕部２と右側腕部２と接合している。また、後方バー部材３には左右方向に所定のピッチで多数個の商品吊り下げ用フック部材４が付設されている。商品吊り下げ用フック部材４は、本例では後方バー部材３に固定される取付部４１と、取付部４１の上面にその後方側が固定され、前方へ延出する棒状部材４２とからなる。棒状部材４２は商品が前後方向に多数、吊り下げられるものであり、通常略水平かあるいは前方にやや上り傾斜とすることで、陳列の安定性を高めている。また、棒状部材４２の先端は上方へ屈曲して係り止め部４３とし、商品の転落を防止している。なお、商品吊り下げ用フック部材４は後方バー部材３に固定されたものであっても、脱着可能なものであってもよい。
【００１８】
係り止め部４３には、商品の転落を更に確実に防止するため、少なくとも係り止め部４３の商品吊り下げ側の周面に係止部を形成してもよい。係止部の一例としては、部分円形断面突起４４（図１６（Ａ））、矩形断面状突起４４ａ（同図（Ｂ））、螺子４４ｂ（図１７（Ａ））及びローレット４４ｃ（同図（Ｂ））などが挙げられる。なお、図１６及び図１７中、上段は下段図の平面図であり、図１６（Ａ）の下段図に表れる部分円形は凹部を示している。
【００１９】
左側腕部２、後方バー部材３及び右側腕部２で形成される平面視コ字形状の枠体（以下、単に「コ字形状の枠体」と言う）はその後方側が弾発部材により下方に付勢されている。本例では左側腕部２の後方部と左ブラケット１の後方下端部とがコイルバネ８で連結され、右側腕部２の後方部と右ブラケット１の後方下端部とがコイルバネ８で連結されている（図２参照）。なお、コイルバネ８はいずれか一方で使用されるものであってもよい。
【００２０】
商品陳列装置１０は、陳列姿勢において、コ字形状の枠体が、コイルバネ８により後方側に回動するよう付勢され、且つその回動力を左右の両ブラケット１のガイド穴８ａで規制しているため、商品吊り下げ用フック部材４の棒状部材４２は略水平状態を維持し、商品Ａを安定して陳列している。この状態で、商品Ａは前の方から順次、売られ抜き取られていく（図１の下段の商品陳列装置、図２参照）。
【００２１】
商品Ａの前出しを行う場合、コ字形状の枠体を下方に回動させる（図１の下段の商品陳列装置、図３中のＸ方向）。具体的には、両側腕部２の前方端２２を操作部として、この操作部分を下側へ押せばよい。この下方への付勢力により、コ字形状の枠体はコイルバネ８のバネ付勢に抗して下方へ回動する。下方への操作は左右の両ブラケット１のガイド穴８ａの下端縁に両側腕部のガイド突起７ａが当たりその動きを規制することで操作範囲が決定される。下方への回動が行き過ぎると陳列商品はフック部材４の係り止め部４３を超えて転落してしまう。また下方への回動が小さいと安定した前出しが行えない。コ字形状の枠体が下方へ回動すると、フック部材４の棒状部材４２が前方下り傾斜となるため、商品Ａは重力により前方へ移動する（図３参照）。
【００２２】
前出しが完了すると、操作部２２に対する下方への付勢を解除する。具体的には操作部２２への下方への押圧力を徐々に下げていく。操作部２２への押圧力が低下すると、コイルバネ８のバネ付勢の方が勝り、コ字形状の枠体は後方へ回動する。そして、コ字形状の枠体は元の陳列姿勢を採り、フック部材４の棒状部材４２は略水平状態になり、商品Ａは前出し状態で陳列される（図４参照）。
【００２３】
また、商品吊り下げ用フック部材４、すなわち、その棒状部材４２に前後方向に多数吊り下げられた商品の最後尾に、錘４４を吊り下げてもよい。錘４４の形態としては、特に制限されず、図１８に示すような板状物などが挙げられる。この場合、板状物の上部に棒状部材４２が挿通する孔４７が形成されることが好ましい。また、挿通孔以外に板状物の上部に付設されるフック部材を棒状部材４２に吊り下げる形態のものであってもよい。これにより、フック部材４が前下がり傾斜となることで錘４４が前方移動し、商品の前出しが一層円滑に行われる。図１８中、商品の記載は省略した。
【００２４】
次に、第２の実施の形態における商品陳列装置を図５〜図８を参照して説明する。図５〜図８において、図１〜図４の商品陳列装置と同一構成要素には同一符号を付してその説明を省略し、異なる点について主に説明する。図５は本例の商品陳列装置の使用状態を示す斜視図、図６は通常の商品陳列状態であって、前出し操作前の状態を示す図、図７は前出し操作中の状態を示す図、図８は前出し操作後の状態を示す図である。すなわち、第２の実施の形態の商品陳列装置１０ａにおいて、第１の実施の形態の商品陳列装置１０と異なる点は、両ブラケット（両側腕部）の形状及び操作部の形状である。
【００２５】
すなわち、商品陳列装置１０ａの左ブラケット１又は右ブラケット１は、それぞれ２つの水平部材と１つの垂直部材を用い、２つの水平部材を上方水平部材と下方水平部材とし、上方水平部材の後端と下方水平部材の前方端を垂直部材で結合して、略略Ｚ状の腕部２ａとしたものである。また、商品陳列装置１０ａは、両側腕部２ａの前方端で差し渡し状に前方バー部材９を配設し、この前方バー部材９を、商品陳列姿勢の平面視において後方バー部材３より上方側に位置させている。また、前方バー部材９の前面部は、凹状断面を有する商品情報表示部９１としている。
【００２６】
商品陳列装置１０ａは、陳列姿勢において、左側腕部２ａ、後方バー部材３、右側腕部２ａ、前方バー部材９で形成される平面視略ロ字形状の枠体（以下、「ロ字形状の枠体」と言う）が、コイルバネ８により後方側に回動するよう付勢され、且つその回動力を左右の両ブラケット１のガイド穴８ａで規制しているため、商品吊り下げ用フック部材４の棒状部材４２は略水平状態を維持し、商品Ａを安定して陳列している。この状態で、商品Ａは前の方から順次、売られ抜き取られていく（図５の下段の商品陳列装置、図６参照）。
【００２７】
商品Ａの前出しを行う場合、ロ字形状の枠体を下方に回動させる（図５の下段の商品陳列装置、図７中のＸ方向）。具体的には、前方バー部材９を操作部として、この操作部分を下側へ押せばよい。この下方への付勢力により、ロ字形状の枠体はコイルバネ８のバネ付勢に抗して下方へ回動する。下方への操作は左右の両ブラケット１のガイド穴８ａに下端縁に両側腕部のガイド突起７ａが当たりその動きを規制することで操作範囲が決定される。ロ字形状の枠体が下方へ回動すると、フック部材４の棒状部材４２が前方下り傾斜となるため、商品Ａは重力により前方へ移動する（図７参照）。
【００２８】
前出しが完了すると、前方バー部材９に対する下方への付勢を解除する。具体的には前方バー部材９への下方への押圧力を徐々に下げていく。前方バー部材９への押圧力が低下すると、コイルバネ８のバネ付勢の方が勝り、ロ字形状の枠体は後方へ回動する。そして、ロ字形状の枠体は元の陳列姿勢を採り、フック部材４の棒状部材４２は略水平状態になり、商品Ａは前出し状態で陳列される。
【００２９】
商品陳列装置１０ａによれば、商品を前出しする際、両側腕部２の前方側に付設された前方バー部材９を操作すればよく、操作位置が広がり一層操作し易いものとなると共に、前方バー部材９の前面部が商品情報表示機能を有するため便利である。
【００３０】
また、本発明の第３の実施の形態における商品陳列装置を図９を参照して説明する。図９において、図１〜図４の商品陳列装置と同一構成要素には同一符号を付してその説明を省略し、異なる点について主に説明する。すなわち、第３の実施の形態の商品陳列装置１０ｂにおいて、第１の実施の形態の商品陳列装置１０と異なる点は、上下２段の両側腕部（操作部）２を連結する連結部材１１を更に備えた点にある。連結部材１１は長尺状物であり、上端が上方商品陳列装置１０の両側腕部２に回動自在に取り付けられ、下方の途中部分が下方商品陳列装置１０の両側腕部２に回動自在に取り付けられている。商品陳列装置１０ｂによれば、連結部材１１を操作するだけで、上下のフック部材４に陳列された商品を一斉に前出しすることができる。なお、商品陳列装置１０ｂは上下３段以上であってもよく、連結部材１１はその一部又は全部の両側腕部２に回動自在に付設されたものであってもよい。また、連結部材１１の設置場所及び形状としては、特に制限されず、種々の設置場所及び形状が任意に選択できる。
【００３１】
また、本発明の第４の実施の形態における商品陳列装置を図１０及び図１１を参照して説明する。図１０及び図１１において、図１〜図４の商品陳列装置と同一構成要素には同一符号を付してその説明を省略し、異なる点について主に説明する。すなわち、第４の実施の形態の商品陳列装置１０ｃにおいて、第１の実施の形態の商品陳列装置１０と主に異なる点は、両側腕部の形態及び両側固定部と両側腕部の軸支位置にある。
【００３２】
すなわち、第４の実施の形態における商品陳列装置１０ｃにおいて、右側腕部２ｂは長尺状ケース部材であり、右ブラケット１の先端近傍にある軸又は軸穴６（図１０では見えない）と右側腕部２ｂの先端近傍にある軸孔又は軸が係合している。そして、右側腕部２ｂには、前後方向にスライドする操作部、すなわち、長尺状ケース部材内には長尺状部材２１ｂがスライド自在に嵌合している。右側腕部２ｂの長さは右ブラケット１の長さと略同じであり、商品陳列姿勢において、右側腕部２ｂは右ブラケット１と一体化しているように見え、操作部である長尺状部材２１ｂは右側腕部２ｂに完全に収容された状態となり、これも一体化しているように見える。なお、長尺状部材２１ｂの先端部近傍には引き出しが容易なように手指が掛かる穴２１ｂが形成されている。長尺状部材２１ｂは前方に引き出すと、不図示の公知のストッパーで停止されるまで伸び、略右ブラケット１の倍の長さを持つ操作部とすることができる。また、右ブラケット１の後端部下方には本体から内側に直角に屈曲した水平部材である台板１１が付設されている。
【００３３】
左側腕部２ｃは後端が内側に直角に屈曲した係合片２３ｃを有する長尺板状部材であり、左ブラケット１の先端近傍にある軸又は軸穴６と左側腕部２ｃの先端近傍にある軸孔又は軸が係合している。そして、左側腕部２ｃの係合片２３ｃと後方バー部材３とが一体的に接合している。なお、左側腕部２ｃの長さは左ブラケット１の長さと略同じであり、商品陳列姿勢において、左側腕部２ｃと左ブラケット１は、外観的には一体化しているように見える。なお、左側腕部２ｃにおいても、右側腕部２ｂと同様のケース状物であってもよい。また、左ブラケット１の後端部下方には右ブラケット１と同様に、本体から内側に直角に屈曲した水平部材である台板（図１０では見えない）が付設されている。
【００３４】
商品陳列装置１０ｃは、商品陳列姿勢において、左側腕部２ｃ、後方バー部材３、右側腕部２ｂで形成される平面視略コ字形状の枠体が、両側ブラケット１の先端近傍で軸支されており、重力により後方側に回動し、且つその回動力を左右の両ブラケット１の台座１１で規制している。ブラケット１の台座１１は、台座１１にコ字形状の枠体が当接している場合、商品吊り下げ用フック部材４の棒状部材４２が略水平状態となるように設計されているため、商品吊り下げ用フック部材４の棒状部材４２は略水平状態を維持し、商品Ａを安定して陳列する。この状態で、商品Ａは前の方から順次、売られ抜き取られていく（図１０参照）。
【００３５】
商品Ａの前出しを行う場合、長尺状部材２１ｂを前方に引き出し、長尺状部材２１ｂの先端部分に対して下方に向けた力を加えることで、コ字形状の枠体の前方側を下方に回動させる。この下方への付勢力により、コ字形状の枠体は軸支位置より後方側の重さに抗して軸６を中心にして前方側が下方へ回動する。コ字形状の枠体が軸６を中心にして前方側が下方へ回動すると、フック部材４の棒状部材４２が前方下り傾斜となるため、商品Ａは重力により前方へ移動する（図１１参照）。これにより、フック部材４の棒状部材４２に吊り下げられた商品Ａは全て一斉に前出しされる。
【００３６】
また、本発明の第５の実施の形態における商品陳列装置を図１２及び図１３を参照して説明する。図１２及び図１３において、図１０及び図１１の商品陳列装置と同一構成要素には同一符号を付してその説明を省略し、異なる点について主に説明する。すなわち、第５の実施の形態の商品陳列装置１０ｄにおいて、第４の実施の形態の商品陳列装置１０ｃと主に異なる点は、両側固定部及び両側腕部の形態にある。
【００３７】
商品陳列装置１０ｄの両側固定部１ｄにおいて、商品陳列装置１０ｃと両側固定部１と主に異なる点は、両側腕部２ｄの回動をガイドする円弧状のガイド溝８ｄを設けた点、及び両側腕部２ｄの後方部の下方移動を規制する台座１１ａを前方に長く伸ばした点にある。また、両側腕部２ｄの後端は横部材３の前面に固定され、ガイド溝８ｄにガイドされる突起（付図示）を設けた点にある。商品陳列装置１０ｄによれば、商品陳列装置１０ｃと同様の効果を奏する他、両側腕部２ｄの回動範囲はガイド溝８ｄで規制され使い易い。
【００３８】
本発明の第６の実施の形態における商品陳列装置を図１４を参照して説明する。図１４において、図１０及び図１１の商品陳列装置と同一構成要素には同一符号を付してその説明を省略し、異なる点について主に説明する。すなわち、第６の実施の形態の商品陳列装置１０ｅにおいて、第４の実施の形態の商品陳列装置１０ｃと主に異なる点は、両側固定部の形態、腕部の形態及び両者の支持形態にある。
【００３９】
商品陳列装置１０ｅは、左側固定部１１ｅと、左側固定部１１ｅと所定間隔おいて対向する右側固定部１ｅと、左側固定部１１ｅと右側腕部２ｅに差し渡し状に配設されると共に、左側固定部１１ｅに回動自在に指示される横部材３と、横部材３の右端に後方端が固定され且つ右側固定部１ｅの前部にある軸を中心に回動自在に支持される右側腕部２ｅと、横部材３に左右方向に所定のピッチで付設される２つ以上の商品吊り下げ用フック部材と、を備える。また、右側固定部１ｅの先端上部には右側腕部２ｅに係合して固定する突起１２ｅを有する。右側固定部１ｅと右側腕部２ｅの係合方法としては、陳列状態（自然状態）において両者が固定され、一方外力によりその係合が外れる係合方法であればよく、公知の係合形態を適用することができる。
【００４０】
商品陳列装置１０ｅは、陳列姿勢において、右側腕部２ｅが右側固定部１ｅの突起１２ｅに係合して固定されているため、商品吊り下げ用フック部材４の棒状部材４２は略水平状態を維持し、商品Ａを安定して陳列している。この状態で、商品Ａは前の方から順次、売られ抜き取られていく（図１４の下段の商品陳列装置参照）。
【００４１】
商品Ａの前出しを行う場合、右側腕部２ｅを下方に回動させる（図１４の上段の商品陳列装置）。具体的には、右側腕部２ｅの前方端を操作部として、この操作部分を下側へ押せばよい。この下方への付勢力により、右側腕部２ｅと右側固定部１ｅの係合が外れ、右側腕部２ｅは下方へ回動する。操作範囲の下限、すなわち最大下り傾斜角は手の操作により適宜決定される。前出しが完了すると、操作部を上方へ上げて、再び、右側腕部２ｅを右側固定部１ｅの突起１２ｅに係合させる。そして、横部材３と右側腕部２ｅで形成される略Ｌ字形の枠体は元の陳列姿勢を採り、フック部材４の棒状部材４２は略水平状態になり、商品Ａは前出し状態で陳列される。
【００４２】
本発明の第７の実施の形態における商品陳列装置を図１５を参照して説明する。図１５において、図１４の商品陳列装置と同一構成要素には同一符号を付してその説明を省略し、異なる点について主に説明する。すなわち、第７の実施の形態の商品陳列装置１０ｆにおいて、第６の実施の形態の商品陳列装置１０ｅと主に異なる点は、両側腕部の形態及び横部材と両側腕部の接合形態にある。
【００４３】
商品陳列装置１０ｆは、左側固定部１１ｅと、左側固定部１１ｅと所定間隔おいて対向する右側固定部１３ｅと、左側固定部１１ｅ及び右側固定部１３ｅに対してそれぞれ後部にある軸に回動自在に支持される左側腕部２１ｅ及び右側腕部２１ｅと、左側腕部２１ｅと右側腕部２１ｅの先端部に差し渡し状に配設され且つ固定される横部材３と、横部材３に左右方向に所定のピッチで付設される２つ以上の商品吊り下げ用フック部材を備え、右側腕部２１ｅは前方に延びる操作部２１ｆを有する。また、右側固定部１３ｅの先端上部には操作部２１ｆに係合する突起１２ｅを有する。
【００４４】
商品陳列装置１０ｆは、陳列姿勢において、右側にある操作部２１ｆが右側固定部１３ｅの突起１２ｅに係合して固定されているため、商品吊り下げ用フック部材４の棒状部材４２は略水平状態を維持し、商品Ａを安定して陳列している。この状態で、商品Ａは前の方から順次、売られ抜き取られていく（図１５の下段の商品陳列装置参照）。
【００４５】
商品Ａの前出しを行う場合、右側操作部２１ｆを下方に回動させる（図１５の上段の商品陳列装置）。具体的には、右側操作部２１ｆの前方端を下側へ押せばよい。この下方への付勢力により、右側操作部２１ｆと右側固定部１３ｅの係合が外れ、操作部２１ｆを有する右側腕部２１ｅは下方へ回動する。下方の操作範囲は手の操作により適宜決定される。前出しが完了すると、操作部を上方へ上げて、再び、右側操作部２１ｆを右側固定部１３ｅの突起１２ｅに係合させる。そして、横部材３と右側腕部２１ｅで形成される略Ｌ字形の枠体は元の陳列姿勢を採り、フック部材４の棒状部材４２は略水平状態になり、商品Ａは前出し状態で陳列される。
【図面の簡単な説明】
【００４６】
【図１】第１の実施の形態例の商品陳列装置の使用状態を示す斜視図である。
【図２】第１の実施の形態例における商品陳列状態であって、前出し操作前の状態を示す図である。
【図３】第１の実施の形態例における前出し操作中の状態を示す図である。
【図４】第１の実施の形態例における前出し操作後の状態を示す図である。
【図５】第２の実施の形態例の商品陳列装置の使用状態を示す斜視図である。
【図６】第２の実施の形態例の商品陳列状態であって、前出し操作前の状態を示す図である。
【図７】第２の実施の形態例における前出し操作中の状態を示す図である。
【図８】第２の実施の形態例における前出し操作後の状態を示す図である。
【図９】第３の実施の形態における商品陳列装置の使用状態を示す斜視図である。
【図１０】第４の実施の形態例における商品陳列装置の使用状態を示す斜視図である。
【図１１】第４の実施の形態例における前出し状態を説明する図である。
【図１２】第５の実施の形態例の商品陳列装置の陳列状態を示す一部を断面で示す側面図である。
【図１３】第５の実施の形態例の商品陳列装置の前出し状態を示す一部を断面で示す側面図である。
【図１４】第６の実施の形態例の商品陳列装置の陳列状態を示す一部を省略した斜視図である。
【図１５】第７の実施の形態例の商品陳列装置の陳列状態を示す一部を省略した斜視図である。
【図１６】フック部材の係り止め部の形状の例示を示す図である。
【図１７】フック部材の係り止め部の形状の他の例示を示す図である。
【図１８】商品吊り下げ用フック部材に吊り下げられる錘を説明する図である。
【符号の説明】
【００４７】
１    左側固定部または右側固定部（左ブラケットまたは右ブラケット）
２、２ａ〜２ｅ    左側腕部または右側腕部
３    後方バー部材
４    フック部材
５    支柱
６    軸
８    コイルバネ
９    前方バー部材
１０〜１０ｆ    商品陳列装置
４１  取付部
４２  棒状部材
Ａ    陳列商品
【図１】
2007029155.tif 000003
【図２】
2007029155.tif 000004
【図３】
2007029155.tif 000005
【図４】
2007029155.tif 000006
【図５】
2007029155.tif 000007
【図６】
2007029155.tif 000008
【図７】
2007029155.tif 000009
【図８】
2007029155.tif 000010
【図９】
2007029155.tif 000011
【図１０】
2007029155.tif 000012
【図１１】
2007029155.tif 000013
【図１２】
2007029155.tif 000014
【図１３】
2007029155.tif 000015
【図１４】
2007029155.tif 000016
【図１５】
2007029155.tif 000017
【図１６】
2007029155.tif 000018
【図１７】
2007029155.tif 000019
【図１８】
2007029155.tif 000020